(57)【要約】【課題】現在の放送中の番組だけでなく録画済の過去の番組についても端末装置に情報を提供する。【解決手段】情報提供システム１００は、放送局が放送する番組に関する時刻を表す時刻情報Ｔを音響成分として含む放送データＤを送信する放送システム２０と、放送データＤに応じた再生音を収音した端末装置５０が当該再生音から抽出した時刻情報Ｔを当該端末装置５０から受信し、放送局の番組に関する複数の関連情報Ｃのうち、端末装置５０から受信した時刻情報Ｔが表す時刻に対応する関連情報Ｃを、端末装置５０に送信する配信システム３０とを具備する。【選択図】図１
2020036244.tif 000002
【特許請求の範囲】
【請求項１】
放送局が放送する番組に関する時刻を表す時刻情報を音響成分として含む放送データを送信し、
前記放送データに応じた再生音を収音した端末装置が当該再生音から抽出した前記時刻情報を当該端末装置から受信し、
前記放送局の番組に関する複数の関連情報のうち、前記端末装置から受信した時刻情報が表す時刻に対応する関連情報を、前記端末装置に送信する
コンピュータシステムにより実現される情報提供方法。
【請求項２】
前記放送データは、前記放送局または番組の識別情報を音響成分として含み、
前記端末装置が前記再生音から抽出した前記識別情報および前記時刻情報を当該端末装置から受信し、
前記端末装置から受信した前記識別情報が表す放送局または番組に対応する複数の関連情報のうち、前記端末装置から受信した前記時刻情報が表す時刻に対応する関連情報を、前記端末装置に送信する
請求項１の情報提供方法。
【請求項３】
放送局が放送する番組の音声に関する時刻を表す時刻情報を音響成分として含む再生音から前記時刻情報を抽出し、
前記放送局の番組に関する複数の関連情報のうち、前記時刻情報が表す時刻に対応する関連情報を取得する
端末装置の動作方法。
【請求項４】
前記関連情報の取得においては、
前記時刻情報を含む情報要求を情報提供装置に送信し、
当該情報要求に応じて前記情報提供装置から送信される関連情報を受信する
請求項３の端末装置の動作方法。
【請求項５】
前記再生音から抽出した前記時刻情報に応じて、前記番組が、放送中の番組であるか過去に放送された番組であるかを判定し、
前記判定の結果に応じた判定情報を含む前記情報要求を送信する
請求項４の端末装置の動作方法。
【請求項６】
放送局が放送する番組に関する時刻を表す時刻情報を音響成分として含む放送データを送信する放送システムと、
前記放送データに応じた再生音を収音した端末装置が当該再生音から抽出した前記時刻情報を当該端末装置から受信し、前記放送局の番組に関する複数の関連情報のうち、前記端末装置から受信した時刻情報が表す時刻に対応する関連情報を、前記端末装置に送信する配信システムと
を具備する情報提供システム。
【請求項７】
放送局が放送する番組の音声に関する時刻を表す時刻情報を音響成分として含む再生音から前記時刻情報を抽出する情報抽出部と、
前記放送局の番組に関する複数の関連情報のうち、前記時刻情報が表す時刻に対応する関連情報を取得する動作制御部と
を具備する端末装置。
【発明の詳細な説明】
【技術分野】
【０００１】
本発明は、放送局が放送する番組に関する各種の情報を提供する技術に関する。
【背景技術】
【０００２】
音波を伝送媒体とする音響通信により送信された識別情報を利用して端末装置が各種の情報を取得する技術が従来から提案されている。例えば特許文献１には、識別情報が重畳された音響をテレビジョン受像機等の再生装置により再生し、再生音を収音した端末装置が当該識別情報を利用して各種の情報を取得する技術が開示されている。
【先行技術文献】
【特許文献】
【０００３】
【特許文献１】特開２０１２−１５５７０６号公報
【発明の概要】
【発明が解決しようとする課題】
【０００４】
例えば特許文献１の構成のもとで、放送局を識別するための識別情報を音響通信により端末装置に送信する構成によれば、当該放送局が放送している番組に関する情報を端末装置に提供することが可能である。しかし、録画機器に録画された過去の番組を再生する場合には、当該番組に関する情報を端末装置に提供できないという問題がある。以上の事情を考慮して、本発明は、現在の放送中の番組だけでなく録画済の過去の番組についても端末装置に情報を提供することを目的とする。
【課題を解決するための手段】
【０００５】
以上の課題を解決するために、本発明の好適な態様に係る情報提供方法は、放送局が放送する番組に関する時刻を表す時刻情報を音響成分として含む放送データを送信し、前記放送データに応じた再生音を収音した端末装置が当該再生音から抽出した前記時刻情報を当該端末装置から受信し、前記放送局の番組に関する複数の関連情報のうち、前記端末装置から受信した時刻情報が表す時刻に対応する関連情報を、前記端末装置に送信する。
【０００６】
本発明の好適な態様に係る端末装置の動作方法は、放送局が放送する番組の音声に関する時刻を表す時刻情報を音響成分として含む再生音から前記時刻情報を抽出し、前記放送局の番組に関する複数の関連情報のうち、前記時刻情報が表す時刻に対応する関連情報を取得する。
【０００７】
本発明の好適な態様に係る情報提供システムは、放送局が放送する番組に関する時刻を表す時刻情報を音響成分として含む放送データを送信する放送システムと、前記放送データに応じた再生音を収音した端末装置が当該再生音から抽出した前記時刻情報を当該端末装置から受信し、前記放送局の番組に関する複数の関連情報のうち、前記端末装置から受信した時刻情報が表す時刻に対応する関連情報を、前記端末装置に送信する配信システムとを具備する。
【０００８】
本発明の好適な態様に係る端末装置は、放送局が放送する番組の音声に関する時刻を表す時刻情報を音響成分として含む再生音から前記時刻情報を抽出する情報抽出部と、前記放送局の番組に関する複数の関連情報のうち、前記時刻情報が表す時刻に対応する関連情報を取得する動作制御部とを具備する。
【図面の簡単な説明】
【０００９】
【図１】第１実施形態における情報提供システムの構成を例示するブロック図である。
【図２】放送システムの構成を例示するブロック図である。
【図３】処理装置の構成を例示するブロック図である。
【図４】音響信号と識別情報と時刻情報との関係の説明図である。
【図５】端末装置の構成を例示するブロック図である。
【図６】配信システムの構成を例示するブロック図である。
【図７】第１実施形態の動作を例示するフローチャートである。
【図８】第１実施形態の動作を例示するフローチャートである。
【図９】第２実施形態における配信システムの記憶装置の説明図である。
【図１０】第２実施形態における端末装置および配信システムの動作を例示するフローチャートである。
【図１１】第３実施形態における端末装置の動作を例示するフローチャートである。
【発明を実施するための形態】
【００１０】
＜第１実施形態＞
図１は、本発明の第１実施形態に係る情報提供システム１０の構成を例示するブロック図である。情報提供システム１０は、放送により提供される番組を視聴する利用者Ｕに各種の情報を提供するためのコンピュータシステムである。第１実施形態における番組は、地上波放送または衛星放送等のテレビ放送により提供されるコンテンツであり、映像と音響とで構成される。なお、番組にはＣＭ（Commercial Message）が含まれてもよい。
【００１１】
利用者Ｕは、再生システム４０と端末装置５０とを利用する。再生システム４０は、放送波を受信することで番組を再生する。端末装置５０は、例えば携帯電話機、スマートフォン、タブレット端末、またはパーソナルコンピュータ等の可搬型の情報端末である。なお、商業施設等の施設に設置される電子看板（例えばデジタルサイネージ）等の案内用の表示端末を端末装置５０として利用してもよい。
【００１２】
図１に例示される通り、情報提供システム１０は、放送システム２０と配信システム３０とを具備する。放送システム２０は番組を放送する。配信システム３０は、放送システム２０が放送する番組に関する情報（以下「関連情報」という）Ｃを端末装置５０に送信する。第１実施形態の関連情報Ｃは、番組内の音声（以下「番組音声」という）の内容を表す文字列（すなわち字幕）である。放送システム２０と配信システム３０とは、例えばインターネット等の通信網を介して相互に通信する。また、配信システム３０は、例えば移動体通信網またはインターネット等の通信網９０を介して端末装置５０と通信する。
【００１３】
＜放送システム２０＞
図２は、放送システム２０の構成を例示するブロック図である。図２に例示される通り、第１実施形態の放送システム２０は、管理装置２１と送信装置２２とを具備するコンピュータシステムである。管理装置２１は、例えば放送局毎に設置され、送信装置２２は、例えば複数の放送局により共用される。
【００１４】
管理装置２１には、番組を表す放送データＤが供給される。放送データＤは、番組の音響を表す音響信号Ａ1と当該番組の映像を表す映像信号Ｖとを含む。放送データＤが表す番組は、過去に収録された番組、または放送に並行して収録される番組である。管理装置２１は、放送データＤに対して各種の処理を実行する。管理装置２１による処理後の放送データＤが送信装置２２に供給される。送信装置２２は、放送データＤを広範囲に送信するための放送機器である。送信装置２２は、例えば放送データＤを表す放送波を送信する電波塔を含んで構成される。なお、有線回線を介して放送データＤを送信する送信機を送信装置２２として利用してもよい。
【００１５】
図２に例示される通り、管理装置２１は、通信装置２１１と計時装置２１２と処理装置２１３とを具備する。計時装置２１２は、現在の時刻を表す時刻情報Ｔを生成する。時刻情報Ｔが示す時刻は、例えば日付と時分秒とを含む。計時装置２１２による時刻情報Ｔの生成は、例えば周期的に反復される。処理装置２１３は、例えばCPU（Central Processing Unit）またはDSP（Digital Signal Processor）等の処理回路で実現され、放送データＤを処理する。第１実施形態の処理装置２１３は、放送データＤの音響信号Ａ1から音響信号Ａ2を生成する。音響信号Ａ2と映像信号Ｖとを含む処理後の放送データＤが送信装置２２に供給される。
【００１６】
図３は、処理装置２１３のうち音響信号Ａ1から音響信号Ａ2を生成する要素の構成を例示するブロック図である。図３に例示される通り、第１実施形態の処理装置２１３は、信号生成部２５と信号合成部２６とを具備する。信号生成部２５は、放送局の識別情報Ｂと計時装置２１２が生成した時刻情報Ｔとを音響成分として含む変調信号Ｍを生成する。
【００１７】
識別情報Ｂは、各放送局に一意に付与された符号である。変調信号Ｍは、例えば所定の周波数の搬送波を識別情報Ｂおよび時刻情報Ｔにより周波数変調することで生成される。なお、拡散符号を利用した識別情報Ｂおよび時刻情報Ｔの拡散変調と所定の周波数の搬送波を利用した周波数変換とを順次に実行することで変調信号Ｍを生成してもよい。変調信号Ｍが表す音響の周波数帯域は、再生システム４０による放音と端末装置５０による収音とが可能な周波数帯域であり、かつ、利用者Ｕが通常の環境で聴取する音声の周波数帯域を上回る周波数帯域（例えば１８ｋＨｚ以上かつ２０ｋＨｚ以下）に設定される。ただし、変調信号Ｍが表す音響の周波数帯域は任意である。
【００１８】
図３の信号合成部２６は、放送データＤの音響信号Ａ1と信号生成部２５が生成した変調信号Ｍとを合成することで音響信号Ａ2を生成する。信号合成部２６は、例えば音響信号Ａ1と変調信号Ｍとを加算（例えば加重加算）することで音響信号Ａ2を生成する。
【００１９】
図４は、音響信号Ａ2の説明図である。図４に例示される通り、音響信号Ａ2は、複数の単位期間Ｑ（Ｑ1，Ｑ2，…）にわたる時間信号である。各単位期間Ｑは、例えば番組内で一連の発話が継続する可変長の期間（すなわち発話毎の期間）に相当する。任意の１個の単位期間Ｑには、識別情報Ｂと時刻情報Ｔ（Ｔ1，Ｔ2，…）とが複数回にわたり反復的に包含される。時刻情報Ｔは単位期間Ｑ毎に相違する。すなわち、時刻情報Ｔが表す時刻は、単位期間Ｑ毎に刻々と進行する。以上の説明から理解される通り、放送データＤの音響信号Ａ2は、識別情報Ｂが示す放送局が放送する番組に関する時刻を表す時刻情報Ｔを音響成分として含む。なお、音響信号Ａ2が単位期間Ｑ毎に１個の時刻情報Ｔを含む構成も想定される。また、単位期間Ｑは、発話とは無関係に設定された所定長の期間でもよい。
【００２０】
図２の通信装置２１１は、放送データＤの音響信号Ａ1を配信システム３０に送信する通信機器である。通信装置２１１が送信する音響信号Ａ1には、計時装置２１２が生成した時刻情報Ｔが単位期間Ｑ毎に付加される。任意の１個の単位期間Ｑに付加される時刻情報Ｔは、当該単位期間Ｑに対応する時刻（例えば単位期間Ｑの始点の時刻）を表す。なお、処理装置２１３による処理後の音響信号Ａ2を通信装置２１１が配信システム３０に送信してもよい。
【００２１】
＜再生システム４０＞
図１の再生システム４０は、放送システム２０から送信された放送データＤが表す番組を再生する。第１実施形態の再生システム４０は、記録装置４１と再生装置４２とを具備する。記録装置４１は、放送システム２０から送信された放送データＤを記録する映像機器である。記録装置４１に記録される番組は、利用者Ｕにより選択される。例えば磁気記録媒体や半導体記録媒体等の記録媒体に放送データＤを記録するレコーダが記録装置４１として利用される。なお、記録装置４１と再生装置４２とを一体に構成してもよい。
【００２２】
再生装置４２は、放送データＤが表す番組を再生する映像機器である。例えばテレビジョン受像機が再生装置４２として好適に利用される。再生装置４２が再生する番組は、利用者Ｕにより選択される。再生装置４２は、放送データＤの映像信号Ｖが表す映像を表示する表示装置４２１と、当該放送データＤの音響信号Ａ2が表す音響を放音する放音装置４２２とを具備する。表示装置４２１は、例えば液晶表示パネルであり、放音装置４２２は、例えばスピーカである。なお、表示装置４２１と放音装置４２２とは別体で構成されてもよい。再生装置４２は、放送システム２０が送信する放送データＤが表す番組を放送に並行して再生するほか、記録装置４１に記録された放送データＤが表す過去の番組を再生することが可能である。
【００２３】
前述の通り、音響信号Ａ2には識別情報Ｂと時刻情報Ｔとが音響成分として包含される。したがって、再生装置４２の放音装置４２２は、番組音声を再生する音響機器として機能するほか、空気振動としての音波を伝送媒体とする音響通信により識別情報Ｂおよび時刻情報Ｔを送信する送信機としても機能する。以上の説明から理解される通り、番組音声の再生に並行して、当該番組の放送局の識別情報Ｂと当該番組音声に関する時刻を表す時刻情報Ｔとが、再生装置４２の周囲に送信される。
【００２４】
＜端末装置５０＞
図５は、端末装置５０の構成を例示するブロック図である。図５に例示される通り、端末装置５０は、制御装置５１と記憶装置５２と通信装置５３と収音装置５４と再生装置５５とを具備する。
【００２５】
収音装置５４は、周囲の音響を収音する音響機器（マイクロホン）である。具体的には、収音装置５４は、再生装置４２の放音装置４２２が放音した音響を収音し、当該音響の波形を表す音響信号Ｘを生成する。音響信号Ｘには、識別情報Ｂおよび時刻情報Ｔを表す音響成分が含まれる。したがって、収音装置５４は、音声通話または動画撮影時の音声収録に利用されるほか、空気振動としての音波を伝送媒体とする音響通信により識別情報Ｂおよび時刻情報Ｔを受信する受信機としても機能する。なお、収音装置５４が生成した音響信号Ｘをアナログからデジタルに変換するＡ/Ｄ変換器の図示は便宜的に省略した。また、端末装置５０と一体に構成された収音装置５４に代えて、別体の収音装置５４を有線または無線により端末装置５０に接続してもよい。
【００２６】
記憶装置５２は、制御装置５１が実行するプログラムと制御装置５１が使用する各種のデータとを記憶する。例えば半導体記録媒体および磁気記録媒体等の公知の記録媒体、または複数種の記録媒体の組合せが、記憶装置５２として任意に採用され得る。通信装置５３は、制御装置５１による制御のもとで配信システム３０と通信する。
【００２７】
再生装置５５は、関連情報Ｃを再生する出力機器である。第１実施形態の再生装置５５は、関連情報Ｃを表示する表示装置（例えば液晶表示パネル）を含む。すなわち、再生装置４２が再生する番組音声の内容を表す文字列が関連情報Ｃとして再生装置５５に表示される。したがって、再生装置４２が再生する番組の内容を聴覚障碍者が把握できる。なお、関連情報Ｃの内容を表す音声を放音する放音装置を再生装置５５として利用してもよい。
【００２８】
制御装置５１は、例えばCPU等の処理回路で構成され、端末装置５０の各要素を統括的に制御する。第１実施形態の制御装置５１は、図５に例示される通り、記憶装置５２に記憶されたプログラムを実行することで複数の機能（情報抽出部５１１および動作制御部５１２）を実現する。なお、制御装置５１の一部の機能を専用の電子回路で実現してもよい。また、制御装置５１の機能を複数の装置に搭載してもよい。
【００２９】
情報抽出部５１１は、再生装置４２による再生音の収音により収音装置５４が生成した音響信号Ｘから識別情報Ｂおよび時刻情報Ｔを抽出する。具体的には、情報抽出部５１１は、例えば、音響信号Ｘのうち識別情報Ｂおよび時刻情報Ｔの音響成分を含む周波数帯域を強調するフィルタ処理と、音響信号Ａ2の生成時の変調処理に対応した復調処理とにより、音響信号Ｘから識別情報Ｂおよび時刻情報Ｔを抽出する。
【００３０】
動作制御部５１２は、配信システム３０から関連情報Ｃを取得し、当該関連情報Ｃを再生装置５５に再生させる。具体的には、動作制御部５１２は、情報抽出部５１１が抽出した識別情報Ｂおよび時刻情報Ｔを含む情報要求Ｒを生成して通信装置５３から配信システム３０に送信する。情報要求Ｒの送信は、音響信号Ｘから抽出される時刻情報Ｔが変化するたびに（すなわち単位期間Ｑ毎に）実行される。また、動作制御部５１２は、情報要求Ｒに応じて配信システム３０から送信された関連情報Ｃを通信装置５３により受信し、当該関連情報Ｃを再生装置５５に再生させる。
【００３１】
＜配信システム３０＞
図６は、配信システム３０の構成を例示するブロック図である。図６に例示される通り、第１実施形態の配信システム３０は、制御装置３１と記憶装置３２と通信装置３３とを具備する。記憶装置３２は、制御装置３１が実行するプログラムと制御装置３１が使用する各種のデータとを記憶する。例えば半導体記録媒体および磁気記録媒体等の公知の記録媒体、または複数種の記録媒体の組合せが、記憶装置３２として任意に採用され得る。
【００３２】
通信装置３３は、放送システム２０および端末装置５０の各々と通信する。例えば、通信装置３３は、放送システム２０の通信装置２１１から送信された音響信号Ａ1および時刻情報Ｔと、端末装置５０から送信された情報要求Ｒとを受信する。また、通信装置３３は、情報要求Ｒに応じた関連情報Ｃを端末装置５０に送信する。
【００３３】
制御装置３１は、例えばCPU等の処理回路で構成され、配信システム３０の各要素を統括的に制御する。第１実施形態の制御装置３１は、図６に例示される通り、記憶装置３２に記憶されたプログラムを実行することで複数の機能（音声認識部３１１および情報処理部３１２）を実現する。なお、制御装置３１の一部の機能を専用の電子回路で実現してもよい。また、制御装置３１の機能を複数の装置に搭載してもよい。
【００３４】
音声認識部３１１は、通信装置３３が受信した音響信号Ａ1に対して音声認識を実行する。すなわち、音声認識部３１１は、音響信号Ａ1が表す番組音声の内容を表現する文字列が特定される。音響信号Ａ1に対する音声認識には、例えばHMM（Hidden Markov Model）等の音響モデルと、言語的な制約を示す言語モデルとを利用した認識処理等の公知の技術が任意に採用され得る。音声認識部３１１による音声認識は、音響信号Ａ1の単位期間Ｑ毎に実行される。音響信号Ａ1のうち任意の１個の単位期間Ｑに対する音声認識で特定された文字列は、関連情報Ｃとして記憶装置３２に記憶される。図６に例示される通り、各単位期間Ｑの関連情報Ｃには、当該単位期間Ｑの時刻情報Ｔ（Ｔ1，Ｔ2，…）が付加される。
【００３５】
以上の説明から理解される通り、番組音声の内容を表す関連情報Ｃと、当該番組音声の発話の時刻を表す時刻情報Ｔとを、番組音声の発話毎（すなわち単位期間Ｑ毎）に時系列に登録した参照テーブルＺが、記憶装置３２に生成される。音響信号Ａ1に対する音声認識は、番組の放送に並行して実時間的に実行される。したがって、関連情報Ｃと時刻情報Ｔとが、番組の放送に並行して、番組音声の発話毎に順次に参照テーブルＺに追加される。参照テーブルＺは、放送局毎に記憶装置３２に生成される。各放送局の参照テーブルＺには、当該放送局が放送した番組に関する関連情報Ｃおよび時刻情報Ｔが登録される。
【００３６】
情報処理部３１２は、端末装置５０から受信した情報要求Ｒに応じた関連情報Ｃを参照テーブルＺから特定する。具体的には、情報処理部３１２は、情報要求Ｒ内の識別情報Ｂが表す放送局の参照テーブルＺから、当該情報要求Ｒ内の時刻情報Ｔが表す時刻に対応する関連情報Ｃを特定する。例えば、情報処理部３１２は、情報要求Ｒ内の時刻情報Ｔが表す時刻に最も近い時刻を表す時刻情報Ｔを参照テーブルＺから検索し、当該時刻情報Ｔに対応する関連情報Ｃを特定する。また、情報処理部３１２は、参照テーブルＺから特定した関連情報Ｃを、情報要求Ｒの送信元の端末装置５０に対して通信装置３３から送信する。以上の説明から理解される通り、第１実施形態の配信システム３０は、放送局の番組に関する複数の関連情報Ｃのうち、端末装置５０から受信した時刻情報Ｔが表す時刻に対応する関連情報Ｃを、当該端末装置５０に送信する。
【００３７】
＜動作＞
図７は、第１実施形態の動作の具体的な手順を例示するフローチャートである。番組の放送に並行して再生装置４２が当該番組を再生する場合（すなわち放送データＤが記録装置４１に記録されない場合）が図７では想定されている。番組音声の発話毎（すなわち単位期間Ｑ毎）に図７の処理が実行される。
【００３８】
放送システム２０の通信装置２１１は、単位期間Ｑの音響信号Ａ1を、計時装置２１２が生成した時刻情報Ｔとともに配信システム３０に送信する（Ｓa1）。配信システム３０の通信装置３３は、放送システム２０から送信された音響信号Ａ1および時刻情報Ｔを受信する（Ｓa2）。音声認識部３１１は、通信装置３３が受信した音響信号Ａ1に対する音声認識で関連情報Ｃを生成する（Ｓa3）。制御装置３１は、音声認識で生成した関連情報Ｃと時刻情報Ｔとを対応させて参照テーブルＺに登録する（Ｓa4）。
【００３９】
放送システム２０の処理装置２１３は、放送局の識別情報Ｂと計時装置２１２が生成した時刻情報Ｔとを音響成分として含む音響信号Ａ2を、単位期間Ｑの音響信号Ａ1から生成する（Ｓa5）。放送システム２０は、音響信号Ａ2と映像信号Ｖとを含む放送データＤを送信装置２２から送信する（Ｓa6）。なお、通信装置２１１による音響信号Ａ1の送信（Ｓa1）と送信装置２２による放送データＤの送信（Ｓa5，Ｓa6）との順序を逆転してもよい。
【００４０】
再生システム４０の再生装置４２は、放送システム２０から受信した放送データＤが表す番組を再生する（Ｓa7）。すなわち、放送データＤの映像信号Ｖが表す映像が表示装置４２１に表示され、当該放送データＤの音響信号Ａ2が表す番組音声が放音装置４２２から放音される。
【００４１】
端末装置５０の収音装置５４は、再生装置４２の放音装置４２２が放音した番組音声を収音することで音響信号Ｘを生成する（Ｓa8）。情報抽出部５１１は、収音装置５４が生成した音響信号Ｘから識別情報Ｂと時刻情報Ｔとを抽出する（Ｓa9）。動作制御部５１２は、情報抽出部５１１が抽出した識別情報Ｂと時刻情報Ｔとを含む情報要求Ｒを通信装置５３から配信システム３０に送信する（Ｓa10）。
【００４２】
配信システム３０の通信装置３３は、端末装置５０から情報要求Ｒを受信する（Ｓa11）。情報処理部３１２は、情報要求Ｒ内の識別情報Ｂが表す放送局の参照テーブルＺから、当該情報要求Ｒ内の時刻情報Ｔが表す時刻に対応する関連情報Ｃを特定する（Ｓa12）。具体的には、参照テーブルＺに登録された最新の関連情報Ｃが特定される。情報処理部３１２は、参照テーブルＺから特定した関連情報Ｃを通信装置３３から端末装置５０に送信する（Ｓa13）。
【００４３】
端末装置５０の通信装置５３は、配信システム３０から関連情報Ｃを受信する（Ｓa14）。動作制御部５１２は、通信装置５３が受信した関連情報Ｃを再生装置５５に再生させる（Ｓa15）。すなわち、放音装置４２２による番組音声の放音（Ｓa7）に後続または並行して、当該番組音声の内容を表す文字列が再生装置５５に表示される。単位期間Ｑ毎に以上の動作が実行される結果、再生システム４０による番組の再生に並行して実時間的に、各番組音声の内容を表す関連情報Ｃが再生装置５５に表示される。
【００４４】
図８は、記録装置４１に記録された放送データＤを利用して過去の番組を再生する場合の動作を例示するフローチャートである。参照テーブルＺに関連情報Ｃと時刻情報Ｔとを登録する動作の手順（Ｓa1〜Ｓa4）は図７と同様である。
【００４５】
放送システム２０の処理装置２１３は、識別情報Ｂと時刻情報Ｔとを音響成分として含む音響信号Ａ2を生成し（Ｓa5）、当該音響信号Ａ2と映像信号Ｖとを含む放送データＤを送信装置２２から送信する（Ｓa6）。再生システム４０の記録装置４１は放送データＤを記録する（Ｓb1）。以上の動作が反復されることで、番組の全体にわたる関連情報Ｃが参照テーブルＺに登録され、番組の全体にわたる放送データＤが記録装置４１に記録される。
【００４６】
利用者Ｕは、番組の放送の終了後（例えば後日）に、記録装置４１に記録された番組の再生を記録装置４１に対して指示する。利用者Ｕからの指示を契機として、記録装置４１は、過去の番組の放送データＤを順次に出力することで、当該番組の再生を再生装置４２に実行させる（Ｓb2）。すなわち、過去の番組の映像が表示装置４２１に表示され、当該番組の番組音声が放音装置４２２から放音される。
【００４７】
以後の動作は図７と同様である。すなわち、情報抽出部５１１による識別情報Ｂおよび時刻情報Ｔの抽出（Ｓa8，Ｓa9）と通信装置５３による情報要求Ｒの送信（Ｓa10）とが単位期間Ｑ毎に実行される。配信システム３０の通信装置３３が情報要求Ｒを受信すると（Ｓa11）、情報処理部３１２は、情報要求Ｒに応じた関連情報Ｃを特定し（Ｓa12）、当該関連情報Ｃを通信装置３３から端末装置５０に送信する（Ｓa13）。参照テーブルＺに登録された複数の関連情報Ｃのうち、時刻情報Ｔが表す過去の時刻に対応する関連情報Ｃが特定される。端末装置５０の通信装置５３は、配信システム３０から送信された関連情報Ｃを受信し（Ｓa14）、再生装置５５は当該関連情報Ｃを再生する（Ｓa15）。
【００４８】
以上に説明した通り、第１実施形態によれば、現在の放送中の番組に対応する関連情報Ｃを当該番組の再生に並行して端末装置５０に提供できるほか、記録装置４１に記録された過去の番組に対応する関連情報Ｃを当該番組の再生に並行して端末装置５０に提供できる。また、時刻情報Ｔに加えて放送局の識別情報Ｂが音響成分として放送データＤに含まれ、端末装置５０が抽出した識別情報Ｂが表す放送局に対応する関連情報Ｃが端末装置５０に送信される。したがって、複数の放送局のうち端末装置５０の周囲で選局されている放送局の番組に関する関連情報Ｃを端末装置５０に提供できる。
【００４９】
＜第２実施形態＞
本発明の第２実施形態を説明する。なお、以下の各例示において機能が第１実施形態と同様である要素については、第１実施形態の説明で使用した符号を流用して各々の詳細な説明を適宜に省略する。
【００５０】
図９は、第２実施形態における配信システム３０の記憶装置３２が記憶する情報の説明図である。図９に例示される通り、第２実施形態の記憶装置３２が放送局毎に記憶する参照テーブルＺは、参照テーブルＺ1と参照テーブルＺ2とに区別される。参照テーブルＺ1は、現在の放送中の番組に対応する関連情報Ｃと時刻情報Ｔとが時系列に登録されたデータテーブルである。他方、参照テーブルＺ2は、放送が完了した過去の番組に対応する関連情報Ｃと時刻情報Ｔとが時系列に登録されたデータテーブルである。特定の番組について参照テーブルＺ1に登録された関連情報Ｃおよび時刻情報Ｔが、当該番組の放送の終了を契機として参照テーブルＺ2に移行される。
【００５１】
図９に例示される通り、参照テーブルＺ1は、記憶装置３２の第１記憶領域３２Aに記憶される。参照テーブルＺ2は、記憶装置３２の第２記憶領域３２Bに記憶される。第１記憶領域３２Aと第２記憶領域３２Bとは別個の領域である。なお、図９では単体の記憶装置３２に第１記憶領域３２Aおよび第２記憶領域３２Bの双方が設定された場合を例示したが、第１記憶領域３２Aと第２記憶領域３２Bとは別個の記憶装置３２に設定されてもよい。
【００５２】
図１０は、第２実施形態における端末装置５０および配信システム３０の動作の具体的な手順を例示するフローチャートである。再生システム４０による再生音の収音（Ｓa8）により識別情報Ｂと時刻情報Ｔとを抽出すると（Ｓa9）、動作制御部５１２は、時刻情報Ｔが表す時刻を参照して、再生システム４０による再生中の番組（以下「再生番組」という）が、現在の放送中の番組であるか過去に放送された番組（すなわち記録装置４１に記録された番組）であるかを判定する（Ｓc1）。例えば、動作制御部５１２は、時刻情報Ｔが示す時刻と計時回路（図示略）が計時する現在時刻とを比較する。動作制御部５１２は、現在時刻を含む所定の範囲内に時刻情報Ｔの時刻がある場合には、再生番組が放送中の番組であると判定し、時刻情報Ｔの時刻が当該範囲外にある場合には、再生番組が過去に放送された番組であると判定する。
【００５３】
動作制御部５１２は、識別情報Ｂおよび時刻情報Ｔに加えて、以上の判定の結果に応じた判定情報Ｆを含む情報要求Ｒを生成して配信システム３０に送信する（Ｓa10）。再生番組が放送中の番組であると判定した場合、動作制御部５１２は、配信システム３０の第１記憶領域３２Aを指定する情報（例えばアドレス）を判定情報Ｆとして生成する。他方、再生番組が過去の番組であると判定した場合、動作制御部５１２は、配信システム３０の第２記憶領域３２Bを指定する情報を判定情報Ｆとして生成する。以上の説明から理解される通り、判定情報Ｆは、関連情報Ｃの取得先（第１記憶領域３２Aおよび第２記憶領域３２Bの何れか）を表す情報とも換言される。ただし、判定情報Ｆの内容は以上の例示に限定されない。例えば、再生番組が再生中の番組であるか過去の番組であるかを表すフラグを判定情報Ｆとして生成してもよい。
【００５４】
端末装置５０が送信した情報要求Ｒを通信装置３３が受信すると（Ｓa11）、配信システム３０の情報処理部３１２は、情報要求Ｒに含まれる判定情報Ｆが、現在の放送中の番組および過去の番組の何れを表すか判定する（Ｓc2）。判定情報Ｆが放送中の番組を表す場合（Ｓc2：YES）、情報処理部３１２は、記憶装置３２の第１記憶領域３２Aから、情報要求Ｒの識別情報Ｂおよび時刻情報Ｔに対応する関連情報Ｃを特定する（Ｓc3）。他方、判定情報Ｆが過去の番組を表す場合（Ｓc2：NO）、情報処理部３１２は、記憶装置３２の第２記憶領域３２Bから、情報要求Ｒの識別情報Ｂおよび時刻情報Ｔに対応する関連情報Ｃを特定する（Ｓc4）。以上の処理は、情報要求Ｒに応じた関連情報Ｃを特定する処理（Ｓa12）である。情報処理部３１２が特定した関連情報Ｃを端末装置５０に送信する処理（Ｓa13）、および、端末装置５０が関連情報Ｃを受信および再生する処理（Ｓa14，Ｓa15）は第１実施形態と同様である。
【００５５】
第２実施形態においても第１実施形態と同様の効果が実現される。また、第２実施形態では、時刻情報Ｔを抽出した再生番組が放送中の番組であるか過去の番組であるかを判定した結果に応じた判定情報Ｆが端末装置５０から送信される。したがって、放送中の番組に関する関連情報Ｃが記憶された第１記憶領域３２Aと、過去の番組に関する関連情報Ｃが記憶された第２記憶領域３２Bとの何れから関連情報Ｃを探索すべきかを、配信システム３０において判定できる。すなわち、情報処理部３１２が参照テーブルＺの全範囲から関連情報Ｃを探索する構成と比較して、情報処理部３１２による関連情報Ｃの探索範囲が削減される。したがって、情報処理部３１２による処理の負荷が軽減されるという利点がある。
【００５６】
＜第３実施形態＞
第１実施形態および第２実施形態では、端末装置５０が通信網９０を介して配信システム３０から関連情報Ｃを受信する構成を例示した。第３実施形態では、端末装置５０の記憶装置５２に記憶される参照テーブルＺから、識別情報Ｂおよび時刻情報Ｔに対応する関連情報Ｃを動作制御部５１２が特定する。したがって、配信システム３０の情報処理部３１２が参照テーブルＺから関連情報Ｃを特定する動作は省略される。
【００５７】
音声認識部３１１が生成した関連情報Ｃと発話の時刻を表す時刻情報Ｔとは、音声認識部３１１による音声認識の実行毎に端末装置５０に送信される。端末装置５０の通信装置５３が関連情報Ｃと時刻情報Ｔとを受信すると、動作制御部５１２は、記憶装置５２に記憶された参照テーブルＺに関連情報Ｃおよび時刻情報Ｔを追加する。すなわち、関連情報Ｃと時刻情報Ｔとは、番組の放送に並行して、番組音声の発話毎に順次に記憶装置５２の参照テーブルＺに追加される。参照テーブルＺは放送局毎に記憶装置５２に記憶される。なお、収録済の番組が放送される場合には、当該番組の放送前に参照テーブルＺが生成され、端末装置５０の記憶装置５２に記憶されてもよい。
【００５８】
図１１は、第３実施形態における端末装置５０の動作の具体的な手順を例示するフローチャートである。再生システム４０による再生音の収音（Ｓa8）により識別情報Ｂと時刻情報Ｔとを抽出すると（Ｓa9）、動作制御部５１２は、記憶装置５２に記憶された参照テーブルＺから関連情報Ｃを特定する（Ｓd1）。具体的には、動作制御部５１２は、識別情報Ｂが表す放送局の参照テーブルＺから、時刻情報Ｔが表す時刻に対応する関連情報Ｃを特定する。動作制御部５１２は、参照テーブルＺから特定した関連情報Ｃを再生装置５５に再生させる（Ｓa15）。すなわち、配信システム３０に対する情報要求Ｒの送信（Ｓa10）と配信システム３０が送信した関連情報Ｃの受信（Ｓa14）とは省略される。
【００５９】
第３実施形態においても第１実施形態と同様の効果が実現される。端末装置５０の動作制御部５１２が配信システム３０から関連情報Ｃを受信する第１実施形態の動作（Ｓa14）と、端末装置５０が記憶装置５２から関連情報Ｃを特定する第３実施形態の動作（Ｓd1）とは、時刻情報Ｔが表す時刻に対応する関連情報Ｃを取得する動作として包括的に表現される。すなわち、関連情報Ｃの取得先は、配信システム３０の記憶装置３２および端末装置５０の記憶装置５２の何れでもよい。
【００６０】
なお、配信システム３０から関連情報Ｃを受信する第１実施形態の構成によれば、端末装置５０に参照テーブルＺを保持する必要がない。したがって、参照テーブルＺが記憶装置５２に記憶される第３実施形態と比較して、端末装置５０の記憶装置５２に必要な記憶容量が削減されるという利点がある。
【００６１】
＜変形例＞
以上に例示した各態様に付加される具体的な変形の態様を以下に例示する。以下の例示から任意に選択された複数の態様を、相互に矛盾しない範囲で適宜に併合してもよい。
【００６２】
（１）前述の各形態では、放送システム２０から配信システム３０に送信される音響信号Ａ1に時刻情報Ｔを付加したが、放送システム２０の計時装置２１２が生成した時刻情報Ｔを配信システム３０に送信することは必須ではない。例えば、配信システム３０の通信装置３３が放送システム２０から音響信号Ａ1を受信した時刻を表す時刻情報Ｔを、関連情報Ｃに対応付けて参照テーブルＺに登録してもよい。また、関連情報Ｃを記憶装置３２に格納する時刻を表す時刻情報Ｔを、当該関連情報Ｃに対応付けて参照テーブルＺに登録してもよい。以上の説明から理解される通り、音響通信により端末装置５０に送信される時刻情報Ｔが表す時刻と、参照テーブルＺに登録される時刻情報Ｔが表す時刻とが厳密に一致する必要はない。参照テーブルＺに登録された複数の関連情報Ｃのうち、端末装置５０から受信した時刻情報Ｔが表す時刻に対応する関連情報Ｃが、配信システム３０から端末装置５０に送信される。
【００６３】
（２）災害（自然災害，人為災害）または犯罪等の非常事態が発生した場合に、非常事態の発生を表す非常情報を配信システム３０から端末装置５０に送信してもよい。例えば、配信システム３０の情報処理部３１２は、外部装置または管理者からの通知により非常事態の発生を認識すると、関連情報Ｃとともに非常情報を端末装置５０に送信する。非常情報は、外部装置から受信した情報または管理者が入力した情報である。端末装置５０の動作制御部５１２は、非常情報を再生装置５５に再生させる。例えば、動作制御部５１２は、受信済の関連情報Ｃの表示を非常情報の表示に切替える。再生装置５５が関連情報Ｃと非常情報とを並列に表示してもよい。なお、非常情報を再生する構成では、時刻情報Ｔを省略してもよい。
【００６４】
記録装置４１に記録された過去の番組を再生装置４２が再生している状態で非常事態が発生した場合に、再生装置４２が、過去の番組の再生を現在の放送中の番組（例えば非常事態を速報する緊急番組）の再生に切替える構成も想定される。例えば、配信システム３０から非常情報を受信すると、端末装置５０は、特定の放送局が放送している現在の番組の再生を再生装置４２に対して指示する。再生装置４２は、端末装置５０からの指示に応じて、記録済の過去の番組の再生を現在の放送中の番組の再生に切替える。なお、番組の切替の指示を配信システム３０から再生装置４２に直接的に送信してもよい。また、以上の説明では過去の番組の再生を放送中の番組の再生に切替える構成を例示したが、過去の番組と放送中の番組とを並列に再生してもよい。
【００６５】
（３）前述の各形態では、地上波放送または衛星放送等のテレビ放送により提供される番組を例示したが、番組は以上の例示に限定されない。例えばインターネット等の通信網を介して放送データＤが送信されるＩＰ（Internet Protocol）放送による番組の提供にも、前述の各形態と同様の構成が適用される。また、前述の各形態では、映像と音響とで構成される番組を例示したが、音響のみで構成されるラジオ放送の番組の提供にも、前述の各形態と同様の構成が適用される。すなわち、映像信号Ｖは放送データＤに必須ではない。したがって、再生システム４０から表示装置４２１を省略してもよい。
【００６６】
（４）前述の各形態では、配信システム３０の音声認識部３１１が音声認識を実行する構成を例示したが、音響信号Ａ1に対する音声認識により関連情報Ｃを生成する装置（音声認識装置）を配信システム３０とは別個に設置してもよい。放送装置の通信装置２１１は音声認識装置に音響信号Ａ1を送信し、配信システム３０の制御装置３１は、音声認識装置が生成した関連情報Ｃを時刻情報Ｔとともに記憶装置３２に格納する。また、番組の放送に並行して音響信号Ａ1に対する音声認識（すなわち関連情報Ｃの生成）を実行することは必須ではない。例えば、収録済の番組については、番組音声を表す関連情報Ｃを放送前に生成して参照テーブルＺに登録してもよい。
【００６７】
（５）前述の各形態では、音響信号Ａ1に対する音声認識の結果を関連情報Ｃとして利用した。すなわち、番組音声の言語と関連情報Ｃの言語とは共通する。音響信号Ａ1に対する音声認識で特定された第１言語（すなわち番組音声の言語）の文字列を、例えば機械翻訳により第２言語に翻訳した文字列を、関連情報Ｃとして参照テーブルＺに登録してもよい。すなわち、番組音声の言語と関連情報Ｃの言語とは相違してもよい。以上の構成によれば、番組音声の言語の理解が困難な外国人が、例えば母国語で表現された関連情報Ｃにより番組音声の内容を把握できる。また、相異なる言語で表現された複数の関連情報Ｃを参照テーブルＺに登録し、端末装置５０から指示された言語の関連情報Ｃを当該端末装置５０に提供してもよい。
【００６８】
番組音声の発音内容が事前に予想できる場合には、事前に用意された複数の文字列のうち番組音声の発話内容に類似する文字列を関連情報Ｃとして参照テーブルＺに登録してもよい。すなわち、番組音声の内容に厳密には一致しないが内容的に類似する文字列が関連情報Ｃとして端末装置５０に提供される。
【００６９】
また、関連情報Ｃは、番組音声の内容を表す文字列に限定されない。例えば、番組の出演者に関する情報、番組で紹介された場所もしくは商品に関する情報、番組に関連する他の番組に関する情報、または番組に関する今後の予告等、番組に関する任意の情報が、関連情報Ｃとして利用者Ｕに提供される。また、関連情報Ｃの形態も任意であり、文字列に限定されず、静止画もしくは動画像等の各種の画像、または、音声もしくは効果音等の各種の音響を、関連情報Ｃとして利用してもよい。番組に関する情報の所在を表す情報（例えばURL）を関連情報Ｃとして利用してもよい。
【００７０】
（６）前述の各形態では、放送局を表す識別情報Ｂを例示したが、番組を識別するための符号を識別情報Ｂとして利用してもよい。参照テーブルＺには、複数の関連情報Ｃが番組毎に登録される。配信システム３０の情報処理部３１２は、情報要求Ｒ内の識別情報Ｂが表す番組に対応する複数の関連情報Ｃのうち、時刻情報Ｔに対応する関連情報Ｃを端末装置５０に送信する。以上の説明から理解される通り、放送データＤの音響信号Ａ2は、放送局または番組の識別情報Ｂを音響成分として含む。
【００７１】
（７）前述の各形態では、配信システム３０は、情報要求Ｒを端末装置５０から受信するたびに関連情報Ｃを当該端末装置５０に送信したが、端末装置５０からの情報要求Ｒの受信を契機として、関連情報Ｃの登録毎に当該端末装置５０に対して関連情報Ｃを送信してもよい。
【００７２】
（８）前述の各形態における放送システム２０は、相互に別体で構成された複数の装置で実現される。配信システム３０も同様に、相互に別体で構成された複数の装置で実現される。配信システム３０の一部または全部の機能を放送システム２０に搭載してもよい。放送システム２０の一部または全部の機能を配信システム３０に搭載してもよい。
【００７３】
（９）前述の各形態に係る情報提供システム１０（特に配信システム３０）および端末装置５０の機能は、各形態での例示の通り、制御装置５１または制御装置３１等の処理回路とプログラムとの協働により実現される。前述の各形態に係るプログラムは、コンピュータが読取可能な記録媒体に格納された形態で提供されてコンピュータにインストールされ得る。記録媒体は、例えば非一過性（non-transitory）の記録媒体であり、ＣＤ-ＲＯＭ等の光学式記録媒体（光ディスク）が好例であるが、半導体記録媒体または磁気記録媒体等の公知の任意の形式の記録媒体も包含される。なお、非一過性の記録媒体とは、一過性の伝搬信号（transitory, propagating signal）を除く任意の記録媒体を含み、揮発性の記録媒体も除外されない。また、通信網を介した配信の形態でプログラムをコンピュータに提供してもよい。
【００７４】
＜付記＞
以上に例示した形態から、例えば以下の構成が把握される。
【００７５】
本発明の好適な態様（第１態様）に係る情報提供方法は、放送局が放送する番組に関する時刻を表す時刻情報を音響成分として含む放送データを送信し、前記放送データに応じた再生音を収音した端末装置が当該再生音から抽出した前記時刻情報を当該端末装置から受信し、前記放送局の番組に関する複数の関連情報のうち、前記端末装置から受信した時刻情報が表す時刻に対応する関連情報を、前記端末装置に送信する。以上の態様では、放送局の番組に関する複数の関連情報のうち、端末装置が再生音から抽出した時刻情報が表す時刻に対応する関連情報が、当該端末装置に送信される。したがって、現在の放送中の番組に対応する関連情報を当該番組の再生に並行して端末装置に提供できるほか、例えば録画機器に記録された過去の番組に対応する関連情報を当該番組の再生に並行して端末装置に提供できる。
【００７６】
第１態様の好適例（第２態様）において、前記放送データは、前記放送局または番組の識別情報を音響成分として含み、前記端末装置が前記再生音から抽出した前記識別情報および前記時刻情報を当該端末装置から受信し、前記端末装置から受信した前記識別情報が表す放送局または番組に対応する複数の関連情報のうち、前記端末装置から受信した前記時刻情報が表す時刻に対応する関連情報を、前記端末装置に送信する。以上の態様では、放送局または番組の識別情報が時刻情報とともに音響成分として放送データに含まれ、端末装置から受信した識別情報が表す放送局または番組に対応する関連情報が当該端末装置に送信される。したがって、複数の放送局のうち端末装置の周囲で選局されている放送局の番組に関する関連情報を端末装置に提供できる。
【００７７】
本発明の好適な態様（第３態様）に係る端末装置の動作方法は、放送局が放送する番組の音声に関する時刻を表す時刻情報を音響成分として含む再生音から前記時刻情報を抽出し、前記放送局の番組に関する複数の関連情報のうち、前記時刻情報が表す時刻に対応する関連情報を取得する。以上の態様では、放送局の番組に関する複数の関連情報のうち、再生音から抽出された時刻情報が表す時刻に対応する関連情報を端末装置が取得する。したがって、現在の放送中の番組に対応する関連情報を当該番組の再生に並行して端末装置が再生できるほか、例えば録画機器に記録された過去の番組に対応する関連情報を当該番組の再生に並行して端末装置が再生できる。
【００７８】
第３態様の好適例（第４態様）において、前記関連情報の取得においては、前記時刻情報を含む情報要求を情報提供装置に送信し、当該情報要求に応じて前記情報提供装置から送信される関連情報を受信する。以上の態様では、端末装置からの要求に応じて情報提供装置から当該端末装置に関連情報が送信されるから、時刻情報に応じた探索の候補となる複数の関連情報を端末装置に記憶しておく必要がない。したがって、記憶装置に必要な記憶容量が削減される。
【００７９】
第４態様の好適例（第５態様）において、前記再生音から抽出した前記時刻情報に応じて、前記番組が、放送中の番組であるか過去に放送された番組であるかを判定し、前記判定の結果に応じた判定情報を含む前記情報要求を送信する。以上の態様では、時刻情報を抽出した番組が放送中の番組であるか過去の番組であるかを判定した結果に応じた判定情報が送信される。したがって、放送中の番組に関する関連情報が記憶された第１記憶領域と、過去の番組に関する関連情報が記憶された第２記憶領域との何れから、端末装置に送信される関連情報を探索すべきかを、情報要求の受信側において判別することが可能である。なお、判定情報は、例えば、第１記憶領域と第２記憶領域との何れかを指定する情報（情報取得先アドレス情報）である。
【００８０】
第１態様または第２態様に係る情報処理方法を実行する情報提供システム、または、第３態様から第５態様の何れかに係る動作方法を実行する端末装置としても、本発明の好適な態様は実現される。
【符号の説明】
【００８１】
１０…情報提供システム、２０…放送システム、２１…管理装置、２１１…通信装置、２１２…計時装置、２１３…処理装置、２２…送信装置、２５…信号生成部、２６…信号合成部、３０…配信システム、３１…制御装置、３１１…音声認識部、３１２…情報処理部、３２…記憶装置、３３…通信装置、４０…再生システム、４１…記録装置、４２…再生装置、４２１…表示装置、４２２…放音装置、５０…端末装置、５１…制御装置、５１１…情報抽出部、５１２…動作制御部、５２…記憶装置、５３…通信装置、５４…収音装置、５５…再生装置、９０…通信網。
【図１】
2020036244.tif 000003
【図２】
2020036244.tif 000004
【図３】
2020036244.tif 000005
【図４】
2020036244.tif 000006
【図５】
2020036244.tif 000007
【図６】
2020036244.tif 000008
【図７】
2020036244.tif 000009
【図８】
2020036244.tif 000010
【図９】
2020036244.tif 000011
【図１０】
2020036244.tif 000012
【図１１】
2020036244.tif 000013